(57)【要約】【課題】ジョイント部品の耐久性を向上させてディスクワイヤーのジョイント部での断線の発生を防止し、しかも、専用の特殊工具を用いなくとも簡単に取り付けたり取り外したりすることができ、メンテナンス費用などを最小限に抑えてコスト的にも有利な飼料搬送装置のワイヤージョイントを提供する。【解決手段】ワイヤージョイントＪは、複数に分割したセグメントピースａ〜ｄをジョイントケース３０の円周凹溝３０ｂに嵌め込んで輪形に配列する一方、ジョイントケースのねじ穴３１に止めねじ４０を捩じ込んでねじ部４０ａを拘束金具３５のクサビ形隙間に押し込み、セグメントピースを周方向に押し付けて固定し、ワイヤー端部２０・２１を圧着管部２５ｂ・２６ｂでかしめて圧着した圧着金具２５・２６を、ジョイントケース内で拘束することにより、ワイヤ端部を連結してディスクワイヤーＷを結線する。【選択図】          図１
2006052066.tif 000002
【特許請求の範囲】
【請求項１】
多数の搬送ディスクをその中心にワイヤー部分を貫通させて等間隔に組み付けてなり、エンドレスに配管した飼料搬送装置の搬送パイプライン内に挿設するディスクワイヤーを、互いのワイヤー端部を繋いで無端状に結線するためのワイヤージョイントであって、
前記ディスクワイヤーのワイヤー端部をパイプ穴に挿入した状態でかしめられる圧着管部と、その圧着管部の外周端縁に環状に突設した抜け止め鍔部をそれぞれ有する一対の圧着金具と、
片側に開口を有する円形キャップ状をなし、内周面に円周凹溝を形成する一方、外周部に径方向に貫通するねじ穴を設けてなり、前記ワイヤー端部を圧着した前記圧着金具の抜け止め鍔部を、間に間隔を保持させた状態で対向させて内設するジョイントケースと、
該ジョイントケースの円周凹溝内に嵌め込んで輪形に配列する複数に分割した扇形のセグメントピースからなり、各セグメントピースの外周側の円弧長さを、その合計長さが前記円周凹溝の円周長さより短く、輪形に配列したときに両端に位置する２つのセグメントピース間にクサビ形の隙間ができる寸法に規定してなる拘束金具と、
前記ジョイントケースのねじ穴に捩じ込んでねじ部の先端を前記拘束金具のクサビ形隙間に押し込み、前記セグメントピースを周方向に押し付けて固定することにより前記圧着金具を前記ジョイントケース内に拘束する止めねじと、
を備えてなることを特徴とする、飼料搬送装置のワイヤージョイント。
【発明の詳細な説明】
【技術分野】
【０００１】
本発明は、養鶏や養豚用などの飼料を給餌器側へと搬送する飼料搬送装置において、エンドレスに配管した搬送パイプライン内に無端状に繋いで挿設するワイヤーのジョイントに関する。詳しくは、多数の搬送ディスクをその中心にワイヤー部分を貫通させて等間隔に組み付けたディスクワイヤーを、互いのワイヤー端部を繋いで結線するのに好適なワイヤージョイントに関する。
【背景技術】
【０００２】
一般に、この種の飼料搬送装置において、搬送パイプライン内に挿設されるディスクワイヤーは、搬送ディスクを等間隔に取り付けた複数のワイヤー単体を、互いの端部をワイヤージョイントで繋いで所望長さの無端状に結線している。そして、搬送ディスクを搬送パイプラインのコーナー部に備えた搬送ホイールに噛み合わせてエンドレスに張り渡し、搬送パイプライン途中に備えた駆動装置を作動して駆動回転させることにより、搬送パイプライン内を緊張状態で回送して飼料を搬送する構造になっている。
【０００３】
ここで、従来、ディスクワイヤーは、たとえば図５および図６に示すような構造のワイヤージョイント１を用いて結線されている。従来のワイヤージョイント１は、それぞれワイヤー端部２ａ・２ｂをパイプ穴３ａ・４ａに挿入して圧着する一対の圧着金具３・４と、片側に開口５ａを有した円形キャップ状のジョイントケース５と、ドーナツ型の固定リング６と、薄い板バネ製のＣ型止め輪７とを備えた構造になっている。また、ジョイントケース５には、その内周面に、止め輪７の形状に合わせて、微細で浅底な円周細溝５ｂが設けられている。
【０００４】
斯かるワイヤージョイント１を用い、ワイヤー端部２ａ・２ｂを繋いでディスクワイヤー２を結線するときは、一方の圧着金具３を、ジョイントケース５の開口５ａから圧着管部３ｂを入れてワイヤ貫通穴５ｃに挿通し、この圧着金具３のパイプ穴３ａに一側のワイヤー端部２ａを挿入する。一方、他方の圧着金具４は、抜け止め鍔部４ｃを開口５ａからジョイントケース５内に入れて、圧着管部４ｂのパイプ穴４ａに、他側のワイヤー端部２ｂを、固定リング６を係合した状態で挿入し、これら圧着金具３・４を、互いの抜け止め鍔部３ｃ・４ｃを対向させてジョイントケース５内に配設する。それから、固定リング６を、ジョイントケース５内で圧着金具４の抜け止め鍔部４ｃに嵌め付け、圧着金具３・４の圧着管部３ｂ・４ｂをかしめてワイヤー端部２ａ・２ｂを圧着金具３・４に圧着する。その後、予め準備した専用の特殊工具を用い、Ｃ型止め輪７を、バネ力に抗しいったん萎めた状態にして開口５ａを通して狭いジョイントケース５内に入れてから、更に微細な円周細溝５ｂに差し込んで取り付けている。これにより、固定リング６を抜け止めしてジョイントケース５内で拘束状態にすることにより、ワイヤー端部２ａ・２ｂを連結してディスクワイヤー２を結線している。
【発明の開示】
【発明が解決しようとする課題】
【０００５】
ところが、従来、ワイヤージョイント１を用いたディスクワイヤー２のジョイント構造では、飼料を搬送する駆動時には、ディスクワイヤー２が搬送パイプライン内を強く引っ張られて揺れながら回送するため、途中のワイヤージョイント１にも、強い振動や衝撃が常に加わり、経時、これら振動や衝撃を受けると、薄い板バネ製の止め輪７が破損しやすく円周細溝５ｂから外れたりし、その結果、ディスクワイヤー２がジョイント部で断線状態になるという問題があった。しかも、そのようにジョイント部で断線を起こしやすいため、それだけワイヤー断線が原因の故障が多発し、その結果、これを未然に防止するためのメンテナンスサイクルも短くなり、それだけ作業上の労力が増大し、メンテナンス費用が高くなるという課題もあった。
【０００６】
また、従来、ワイヤージョイント１によってディスクワイヤー２を結線する場合、Ｃ型止め輪７は、いちいち専用の特殊工具を準備し、その特殊工具を用いなければ、狭いジョイントケース５内で微細な構造の円周細溝４ｂに差し込んで取り付けることは到底困難であり、非常に不便であった。他方、メンテナンス時など、ワイヤージョイント１を取り外すときも、取り替えが必要なＣ型止め輪７は、同様にいちいち専用の特殊工具を用意し、それを使ってでなければ、狭いジョイントケース５内で円周細溝４ｂからバネ力に抗して抜き取ることは到底困難であり、非常に不便であるという課題があった。
【０００７】
そこで、本発明の目的は、ジョイント部品の耐久性を向上させてディスクワイヤーのジョイント部での断線の発生を防止し、しかも、専用の特殊工具を用いなくとも簡単に取り付けたり取り外したりすることができ、メンテナンス費用などを最小限に抑えてコスト的にも有利な飼料搬送装置のワイヤージョイントを提供することにある。
【課題を解決するための手段】
【０００８】
上記した課題を解決すべく、本発明は、たとえば以下に図１〜図４を用いて説明する実施の形態に示すとおり、多数の搬送ディスク１９‥をその中心にワイヤー部分を貫通させて等間隔に組み付けてなり、エンドレスに配管した飼料搬送装置Ａの搬送パイプラインＰ内に挿設するディスクワイヤーＷを、互いのワイヤー端部２０・２１を繋いで無端状に結線するためのワイヤージョイントＪであって、前記ディスクワイヤーＷのワイヤー端部２０・２１をパイプ穴２４に挿入した状態でかしめられる圧着管部２５ａ・２６ａと、その圧着管部２５ａ・２６ａの外周端縁に環状に突設した抜け止め鍔部２５ｂ・２６ｂをそれぞれ有する一対の圧着金具２５・２６と、片側に開口２８を有する円形キャップ状をなし、内周面に円周凹溝３０ｂを形成する一方、外周部３０ｃに径方向に貫通するねじ穴３１を設けてなり、前記ワイヤー端部２０・２１を圧着した前記圧着金具２５・２６の抜け止め鍔部２５ｂ・２６ｂを、間に間隔Ｄを保持させた状態で対向させて内設するジョイントケース３０と、該ジョイントケース３０の円周凹溝３０ｂ内に嵌め込んで輪形に配列する複数に分割した扇形のセグメントピースａ〜ｄからなり、各セグメントピースの外周側の円弧長さＬを、その合計長さが前記円周凹溝３０ｂの円周長さより短く、輪形に配列したときに両端に位置する２つのセグメントピースａ・ｄ間にクサビ形の隙間Ｓができる寸法に規定してなる拘束金具３５と、前記ジョイントケース３０のねじ穴３１に捩じ込んでねじ部４０ａの先端を前記拘束金具３５のクサビ形隙間Ｓに押し込み、前記セグメントピースａ〜ｄを周方向に押し付けて固定することにより前記圧着金具２５・２６を前記ジョイントケース３０内に拘束する止めねじ４０とを備えてなることを特徴とする。
【発明の効果】
【０００９】
本発明によれば、複数に分割したセグメントピースをジョイントケースの円周凹溝に嵌め込んで輪形に配列する一方、ジョイントケースのねじ穴に止めねじを捩じ込んで拘束金具のクサビ形隙間に押し込み、セグメントピースを周方向に押し付けて固定し、ワイヤー端部を圧着した圧着金具をジョイントケース内で拘束することにより、ワイヤ端部を連結してディスクワイヤーを結線する構成とし、特に拘束金具がジョイントケースの円周凹溝内に嵌り込んで固定状態の強度のあるセグメントピースであるため、ディスクワイヤーの駆動時に、ワイヤージョイントに対したとえ強い振動や衝撃が加わっても、拘束金具は、従来の板バネ製止め輪の如く破損して外れるようなことがなく、これによって、ジョイント部でのワイヤー断線の発生を確実に防止することができる。その結果、ジョイント部でのワイヤー断線が原因となる故障の発生を皆無にし、しかも、全体のランニングコストやメンテナンス費用を最小限に抑えてコスト的にも著しく有利な飼料搬送装置を提供することができる。
【００１０】
また、本発明のワイヤージョイントによれば、ディスクワイヤーを結線するとき、拘束金具は、分割したセグメントピースをジョイントケースの円周凹溝内に嵌め込み、止めねじをジョイントケースのねじ穴に捩じ込むだけでよく、従来の如くいちいち専用の特殊工具を準備して用いなくとも、手間なく簡単に取り付けることができる。他方、メンテナンス時など、ディスクワイヤーからワイヤージョイントを取り外す必要があるときも、拘束金具は、止めねじの捩じ込みを緩めてセグメントピースの押し付けを解除し、セグメントピースをジョイントケースの円周凹溝から取り出すだけでよく、同様に、従来の如くいちいち専用の特殊工具を用意して使用しなくとも、手間なく簡単に取り外すことができる。
【００１１】
以下、図面を参照しつつ、本発明の実施の形態について説明する。
【００１２】
図４に、本発明のワイヤージョイントを適用した飼料供給システムの全体構成を示す。図示飼料供給システムは、符号Ａで示す飼料搬送装置と、飼料搬送装置Ａで飼料を搬送して送給する複数の給餌器Ｂ‥とで構成されている。飼料搬送装置Ａは、餌補給装置１０を備えると共に、餌補給装置１０と給餌器Ｂと間を、給餌器の設置レイアウトに応じて、複数のコーナーを設けて配管した搬送パイプラインＰを介して連結している。餌補給装置１０は、大容量の、例えば粉状の飼料を収容する飼料タンク１０ａと、飼料タンク１０ａの下で連結して飼料補給量の調節機能をもった補給用ホッパ１０ｂとを備えている。各給餌器Ｂは、垂設したドロップパイプ１１を介して搬送パイプラインＰと連通させている。
【００１３】
搬送パイプラインＰは、複数の直管状パイプ１２と幾つかのコーナー部１３を接続してエンドレスに配管し、中空パイプ内に、後述する飼料搬送用のディスクワイヤーを無端状に繋いで挿設している。そして、餌補給装置１０と隣接したライン途中には、ディスクワイヤーを駆動する駆動装置１５を設置している。搬送パイプラインＰのコーナー部１３内は、コーナー搬送ホイールを回転自在に軸支し、コーナー搬送ホイールにディスクワイヤーを巻き掛け、駆動時に、ディスクワイヤーの回動に従って連れ回りしながら、ディスクワイヤーをコーナー送りする構造になっている。
【００１４】
図１に一部を図示するとおり、ディスクワイヤーＷは、例えばインサート樹脂成形法により、所定径サイズの多数の搬送ディスク１９‥を形成すると共に、各搬送ディスク１９の中心に鋼製ワイヤーを貫通させて等間隔に組み付けて成形し、互いのワイヤ端部２０・２１を本発明のワイヤージョイントＪで繋いで所望長さのエンドレスに結線する。
【００１５】
そして、図４の飼料供給システムでは、給餌時に飼料搬送装置Ａを稼動し、飼料タンク１０ａに収容した飼料を、補給用ホッパ１０ｂで補給量を調整しながら搬送パイプラインＰ内へ送り込む一方、駆動装置１５を作動してディスクワイヤーＷを緊張状態で引っ張りながら、搬送パイプラインＰに沿って回送する。すると、飼料は、ディスクワイヤーＷの搬送ディスク１９‥により、搬送パイプラインＰ内を通して回送方向Ｘに搬送される。そして、各給餌器Ｂの真上に達すると、順次ドロップパイプ１１を通して落下し、各給餌器Ｂへと供給される構造になっている。
【００１６】
さて、上記飼料搬送装置Ａにおいて、本発明によるワイヤージョイントＪは、たとえば図１および図２に示すように、金属製、例えば鉄製の構成部品からなり、一対の圧着金具２５・２６と、ジョイントケース３０と、拘束金具３５と、図１〜図３に示す例では皿ネジからなる止めねじ４０とで構成されてなる。
【００１７】
圧着金具２５・２６は、ディスクワイヤーＷの軸径に合わせた口径のパイプ穴２４を有する圧着管部２５ａ・２６ａと、該圧着管部の外周端縁に環状に突設した抜け止め鍔部２５ｂ・２６ｂとからなる。そして、ディスクワイヤーＷのワイヤー端部２０・２１を、パイプ穴２４に挿入した状態で圧着管部２５ａ・２６ａを外周からかしめて固着する構造になっている。
【００１８】
ジョイントケース３０は、全体の外形が有底な円形キャップ状に成形されてなる。そして、片側を開放して開口２８を設ける一方、他側の底部３０ａにワイヤ貫通穴２９を有してなる。また、内周面には、拘束金具３５の厚さに合わせた溝幅の円周凹溝３０ｂを設け、外周部３０ｃには、径方向に貫通するねじ穴３１を設けてなる。ねじ穴３１は、後述する通り、そこに止めねじ４０を捩じ込んだとき、ねじ頭部がジョイントケース３０の表面から突出しないように、皿ネジ形状に合わせた穴形状に穿設している。
【００１９】
拘束金具３５は、図２と図３に示すように、例えば４個の、それぞれが同じ円弧長さＬの扇形セグメントピースａ・ｂ・ｃ・ｄからなり、使用時は、セグメントピースａ〜ｄを、ジョイントケース３０の円周凹溝３０ｂに、図３に示すように嵌め込み輪形に配列される構成になっている。セグメントピースａ〜ｄは、円周凹溝３０ｂに嵌め込んで輪形に配列したとき、それぞれ外周側の円弧長さＬを、その合計長さ（拘束金具３５全体の円周長さ）が円周凹溝３０ｂの円周長さより短くて、そのために両端に位置するセグメントピースａ・ｄ間に、止めねじ４０のねじ部４０ａの軸径に合わせたクサビ形の隙間Ｓが形成される寸法に規定してなる。更に、セグメントピースａ〜ｄは、それぞれ内周側の円弧面３９を、圧着金具２５・２６の抜け止め鍔部２５ｂ・２６ｂの凸形状に合わせて曲面的な凹状に成形している。
【００２０】
なお、図２と図３に示したように、上述した例の拘束金具３５では、個々のセグメントピースａ〜ｄの円弧長さＬが同一であったが、輪形に配列したときに両端に位置するセグメントピース間に上記隙間Ｓが形成されるのであれば、円弧長さの異なるピースを組み合わせて使用してもよい。また、拘束金具３５を構成するセグメントピースの配列数も、４個に限らず、例えば３個や５個など、少なくとも複数個に分割して配列した構成であればよい。
【００２１】
さて、本発明のワイヤージョイントＪを用い、ワイヤ端部２０・２１を繋いでディスクワイヤーＷを結線するときは、一方の圧着金具２５を、ジョイントケース３０の開口２８から圧着管部２５ａを入れてワイヤ貫通穴２９に挿通し、圧着金具２５のパイプ穴２４に一側のワイヤー端部２０を挿入すると共に、他側のワイヤー端部２１を他方の圧着金具２６のパイプ穴２４に挿入し、互いの抜け止め鍔部２５ｂ・２６ｂを対向させて、圧着金具２５・２６をジョイントケース３０内に配設する。それから、圧着金具２５・２６の圧着管部２５ａ・２６ａの外周をかしめてワイヤー端部２０・２１を圧着金具２５・２６に圧着する。そして、セグメントピースａ〜ｄを、ジョイントケース３０の円周凹溝３０ｂに嵌め込み、両端のセグメントピースａ・ｄ間に隙間Ｓが形成された輪形に配列する。それから、止めねじ４０を、図３に示す如くジョイントケース３０のねじ穴３１に捩じ込んで、ねじ部４０ａの先端を拘束金具３５の隙間Ｓに押し込み、セグメントピースａ〜ｄを、図３中矢示する如く周方向に押し付けて固定し、これにより、図１に示すように抜け止め鍔部２５ｂ・２６ｂ間に間隔Ｄを保持させた状態で、圧着金具２５・２６をジョイントケース３０内で拘束する。そして、ワイヤージョイントＪでワイヤ端部２０・２１を屈曲可能に連結してディスクワイヤーＷを結線する。
【００２２】
なお、メンテナンス時など、ディスクワイヤーＷからワイヤージョイントＪを取り外す必要があるときは、止めねじ４０の捩じ込みを緩めて、拘束金具３５のセグメントピースａ〜ｄの押し付けを解除し、これらセグメントピースをジョイントケース３０の円周凹溝３０ｂから取り出せば、ワイヤージョイントＪを簡単に取り外すことができる。
【図面の簡単な説明】
【００２３】
【図１】本発明の一例であるワイヤージョイントを用いてワイヤー端部を連結したディスクワイヤーのジョイント構造を示す縦断面図である。
【図２】ワイヤージョイントの分解斜視図である。
【図３】グメントピースの嵌め込み位置で示すワイヤージョイントの縦断面図である。
【図４】本発明のワイヤージョイントを適用した飼料供給システムの全体構成を示す斜視図である。
【図５】従来のワイヤージョイントを用いてワイヤー端部を連結したディスクワイヤーのジョイント構造を示す縦断面図である。
【図６】従来のワイヤージョイントの分解斜視図である。
【符号の説明】
【００２４】
Ａ                飼料搬送装置
Ｂ                給餌器
Ｊ                ワイヤージョイント
Ｐ                搬送パイプライン
Ｓ                拘束金具の隙間
Ｗ                ディスクワイヤー
ａ・ｂ・ｃ・ｄ    セグメントピース
２０・２１        ワイヤー端部
２５・２６        圧着金具
２５ａ・２６ａ    圧着管部
２５ｂ・２６ｂ    抜け止め鍔部
３０              ジョイントケース
３０ｂ            円周凹溝
３１              ねじ穴
３５              拘束金具
４０              止めねじ
【図１】
2006052066.tif 000003
【図２】
2006052066.tif 000004
【図３】
2006052066.tif 000005
【図４】
2006052066.tif 000006
【図５】
2006052066.tif 000007
【図６】
2006052066.tif 000008